(57)【要約】【課題】蓋の操作性を高めることができる電子機器を提供する。【解決手段】電子機器１０は、筐体１４と、蓋部材１６と、パッキン１８と、ジャック２８とを有する。筐体１４は、開口部２６が形成された前壁２４Ｂと、第一長溝３２と、第二長溝４２とを有する。第一長溝３２及び第二長溝４２は、第一溝部３３、４３と第二溝部３６、４６とが、傾斜溝壁３４Ａ、３４Ｄ、４４Ａ、４４Ｄを介して接続される。蓋部材１６は、第一長溝３２及び第二長溝４２内を移動し、第一溝部３３、４３へ移動する動作に応じて開口部２６を閉止する。パッキン１８は、蓋部材１６に設けられ、蓋部材１６が開口部２６を閉止する動作に応じて、前壁２４Ｂと蓋部材１６とに圧縮される。ジャック２８は、開口部２６の内側に設けられた電子部品５７に電気的に接続される。【選択図】図２
2015119330.tif 000002
【特許請求の範囲】
【請求項１】
（ａ）開口部が形成された壁部と、（ｂ）前記開口部を間において前記壁部の側面に沿って並列して延びる第一溝部と、前記開口部から離れた位置で前記側面に沿って並列して延びる第二溝部とが、傾斜溝壁を介して前記第一溝部と前記第二溝部に接続された長溝と、を有する筐体と、
前記長溝内を移動し、前記第一溝部へ移動する動作に応じて、前記開口部を閉止する蓋と、
前記蓋に設けられ、前記蓋が前記開口部を閉止する動作に応じて、前記開口部で前記壁部と前記蓋とに圧縮される弾性部材と、
前記開口部の内側に設けられた電子部品に電気的に接続された接続部材と、
を有する電子機器。
【請求項２】
前記長溝は、前記第一溝部及び前記第二溝部よりも溝幅が大きく前記傾斜溝壁が形成された拡幅溝部を有する、
請求項１に記載の電子機器。
【請求項３】
前記蓋は、前記長溝内を移動する突起を備え、前記突起が前記第一溝部へ移動する動作に応じて、前記開口部を閉止する、
請求項１又は請求項２に記載の電子機器。
【請求項４】
前記突起は、前記長溝内を移動する第一突起と、前記第一突起と離して設けられ前記長溝内を移動する第二突起と、を備える、
請求項３に記載の電子機器。
【請求項５】
前記第一溝部の全長が、前記第一突起の外端から前記第二突起の外端までの長さ以上である、
請求項４に記載の電子機器。
【請求項６】
前記第一突起及び前記第二突起は、前記壁部側の面が同一面上にある、
請求項４又は請求項５に記載の電子機器。
【請求項７】
前記第一突起の厚みは、前記第一溝部及び前記第二溝部と係合する大きさであり、
前記第一溝部には、前記拡幅溝部とは反対側の終端に前記第一溝部よりも溝幅が小さい第三溝部が形成され、
前記第二突起の厚みは、前記第三溝部と係合する大きさである、
請求項４から請求項６のいずれか１項に記載の電子機器。
【請求項８】
前記傾斜溝壁は、前記第一溝部と前記第二溝部との接続部位に形成され、
前記第一溝部と前記第三溝部との接続部位には第一傾斜面が形成され、
前記第一突起及び前記第二突起は板片とされ、前記第一突起及び前記第二突起には、前記傾斜溝壁及び前記第一傾斜面に沿った第二傾斜面が形成される、
請求項７に記載の電子機器。
【請求項９】
前記第一溝部の前記壁部側の壁面と、前記拡幅溝部の前記壁部側の壁面とは、同一面上にあり、
前記第二溝部の前記壁部側とは反対側の壁面と、前記拡幅溝部の前記壁部側とは反対側の壁面とは、同一面上にある、
請求項２から請求項８のいずれか１項に記載の電子機器。
【発明の詳細な説明】
【技術分野】
【０００１】
本願の開示する技術は、電子機器に関する。
【背景技術】
【０００２】
従来、筐体の開口部の一方側に向けて延びる湾曲溝と、湾曲溝から分岐され開口部の他方側に向けて直線状に延びる直線溝とを有する蓋構造がある。従来の蓋構造では、止水部材を備えた蓋が湾曲溝及び直線溝で案内され、開口部が止水部材で止水される。
【先行技術文献】
【特許文献】
【０００３】
【特許文献１】特開２０１１−１５９４８７号公報
【発明の概要】
【発明が解決しようとする課題】
【０００４】
従来の蓋構造では、蓋を開口部付近まで移動させる第一動作と、止水部材が開口部に嵌まるように蓋を開口部に向けて押す第二動作とが必要となり、蓋の操作性が低い。
【０００５】
本願の開示する技術は、一つの側面として、蓋の操作性を高めることができる電子機器を提供することを目的とする。
【課題を解決するための手段】
【０００６】
上記目的を達成するために、本願の開示する技術によれば、筐体と、蓋と、弾性部材と、接続部材とを有する電子機器が提供される。筐体は、開口部が形成された壁部と、長溝とを有する。長溝は、開口部を間において壁部の側面に沿って並列して延びる第一溝部と、開口部から離れた位置で側面に沿って並列して延びる第二溝部とが、傾斜溝壁を介して第一溝部と第二溝部に接続される。蓋は、長溝内を移動し、第一溝部へ移動する動作に応じて、開口部を閉止する。弾性部材は、蓋に設けられ、蓋が開口部を閉止する動作に応じて、開口部で壁部と蓋とに圧縮される。接続部材は、開口部の内側に設けられた電子部品に電気的に接続される。
【発明の効果】
【０００７】
本願の開示する技術によれば、蓋の操作性を高めることができる。
【図面の簡単な説明】
【０００８】
【図１】本実施形態のスマートフォンの斜視図である。
【図２】本実施形態のスマートフォンの分解斜視図である。
【図３】本実施形態の電子ユニットの平面図である。
【図４】本実施形態の第一筐体の平面図である。
【図５】本実施形態の第一長溝の拡大図である。
【図６】本実施形態の第二筐体の底面図である。
【図７】本実施形態の第二長溝の拡大図である。
【図８】本実施形態の蓋部材の正面図である。
【図９】本実施形態の蓋部材の背面図である。
【図１０】本実施形態の蓋部材の平面図である。
【図１１】本実施形態の蓋部材の底面図である。
【図１２】本実施形態の突起部の説明図である。
【図１３】本実施形態の突起部の説明図である。
【図１４】本実施形態のスマートフォンの斜視図である。
【図１５】本実施形態のスマートフォンの正面図である。
【図１６】本実施形態のスマートフォンの部分縦断面図（図１５のＡ−Ａ´断面）である。
【図１７】本実施形態のスマートフォンの斜視図である。
【図１８】本実施形態のスマートフォンの正面図である。
【図１９】本実施形態のスマートフォンの部分縦断面図（図１８のＢ−Ｂ´断面）である。
【図２０】本実施形態の蓋部材が開放位置に配置された状態を示す説明図である。
【図２１】本実施形態の蓋部材が閉止位置へ向けて移動する状態を示す説明図である。
【図２２】本実施形態の蓋部材が閉止位置に配置された状態を示す説明図である。
【図２３】本実施形態の蓋部材及びパッキンに作用する力を示す説明図である。
【図２４】本実施形態のスマートフォンの正面図である。
【図２５】本実施形態のスマートフォンの部分縦断面図（図２４のＣ−Ｃ´断面）である。
【図２６】変形例の蓋部材が閉止位置に配置された状態を示す説明図である。
【図２７】変形例の蓋部材の背面図である。
【発明を実施するための形態】
【０００９】
以下、本願の開示する技術の一実施形態を説明する。
【００１０】
図１には、電子機器の一例としてのスマートフォン１０が示される。スマートフォン１０は、蓋開閉部１２を有する。
【００１１】
[蓋開閉部]
図２に示すように、蓋開閉部１２は、筐体１４と、蓋の一例としての蓋部材１６と、弾性部材の一例としてのパッキン１８とを有する。
【００１２】
〔筐体〕
図１及び図２に示すように、筐体１４は、一例として、偏平な直方体の箱状に形成される。また、筐体１４は、第一筐体２２と、第二筐体２４とを有する。なお、図面では、蓋部材１６を正面手前側に配置した状態で、筐体１４の奥行き方向、幅方向、高さ方向をそれぞれ、矢印Ｄ、矢印Ｗ、矢印Ｈで示す。奥行き方向、幅方向、及び高さ方向は、説明の便宜のための方向であり、スマートフォン１０の使用状態を制限するものではない。
【００１３】
以下の説明において、奥行き方向、幅方向、高さ方向をＤ方向、Ｗ方向、Ｈ方向という。Ｄ方向、Ｗ方向、Ｈ方向は、互いに直交（交差）する。また、Ｄ方向において、一方側と他方側を区別する場合は、手前側、奥側という。Ｗ方向において、一方側と他方側を区別する場合は、左側、右側という。Ｈ方向において、一方側と他方側を区別する場合は、上側、下側という。なお、筐体１４の水平方向は、Ｄ方向及びＷ方向を含む。
【００１４】
＜第一筐体＞
図３及び図４に示すように、第一筐体２２は、筐体１４をＨ方向上側から見て、Ｄ方向を長手方向とする長方形状に形成される。具体的には、第一筐体２２は、長方形状の底板２２Ａを有する。また、第一筐体２２は、底板２２Ａの周縁部でＨ方向に沿って直立した板状の前壁２２Ｂ、左壁２２Ｃ、後壁２２Ｄ、及び右壁２２Ｅを有する。前壁２２Ｂは、被覆部の一例である。
【００１５】
図３に示すように、第一筐体２２内には、電子ユニット５２が収容される。電子ユニット５２は、所定の回路パターンが形成された基板５４を有する。基板５４には、複数の電子部品５７が搭載される。複数の電子部品５７のうちの一部には、一例として、ＵＳＢ（Universal Serial Bus）のジャック２８（図２参照）が電気的に接続される。ジャック２８は、接続部材の一例である。また、ジャック２８のＤ方向手前側の端部は、後述する開口部２６（図２参照）の内側に配置される。
【００１６】
図２に示すように、前壁２２ＢのＷ方向の中央部には、切欠部２５が形成される。切欠部２５は、前壁２２ＢのＨ方向上端から中央まで、底板２２Ａへ向けて切り欠かれた部位である。また、切欠部２５は、Ｄ方向に見て横長の長方形状に切り欠かれており、Ｄ方向に貫通される。前壁２２Ｂの内面で切欠部２５のＷ方向右側には、Ｄ方向奥側へ向けて突出された接触部３１が形成される。さらに、底板２２ＡにおけるＨ方向の上面で前壁２２Ｂよりも内側には、第一長溝３２が形成される。第一長溝３２は、長溝の一例であり、Ｈ方向下側に向けて窪む。
【００１７】
（第一長溝）
図５に示すように、第一長溝３２は、第一溝部３３と、拡幅溝部３４と、第二溝部３６と、第三溝部３８とを有する。また、第一長溝３２は、Ｗ方向の左側から右側へ向けて、Ｗ方向に沿って、第二溝部３６、拡幅溝部３４、第一溝部３３、第三溝部３８の順で形成される。なお、第三溝部３８は、第一溝部３３の終端部に形成されており、第一溝部３３に含まれる。
【００１８】
第一長溝３２の各部及び後述する開口部２６の境界の位置は、Ｗ方向に沿った仮想線Ｐ上の位置ａ、ｂ、ｃ、ｄ、ｅ、ｆ、ｇ、ｈ、ｉ、ｊで示される。位置ａ、ｂ、ｃ、ｄ、ｅ、ｆ、ｇ、ｈ、ｉ、ｊは、第一長溝３２をＨ方向上側から見て、Ｗ方向の左側から右側へこの順に配置される。また、第一長溝３２のＨ方向の深さはＨ１（図１６参照）である。さらに、位置ａから位置ｂまでの長さがＷ１、位置ｂから位置ｅまでの長さがＷ２、位置ｅから位置ｈまでの長さがＷ３、位置ｈから位置ｊまでの長さがＷ４である。
【００１９】
第二溝部３６は、前壁２２Ｂに隣接して形成されており、Ｗ方向における位置ａから位置ｂまで直線状に延びる。位置ａは、左壁２２Ｃ（図４参照）よりもＷ方向の右側の位置である。また、第二溝部３６は、Ｈ方向に直立しＤ方向で対向する壁面３６Ａと壁面３６Ｂを有する。壁面３６Ａは、Ｄ方向の手前側でＷ方向に沿って形成される。壁面３６Ｂは、Ｄ方向の奥側でＷ方向に沿って形成される。Ｄ方向における壁面３６Ａと壁面３６Ｂとの間隔（溝幅）は、長さｄ１である。
【００２０】
第一筐体２２と第二筐体２４とを組み付けた状態において、第二筐体２４の前壁２４Ｂは、第一長溝３２よりもＤ方向の奥側（内側）に配置される。即ち、第一長溝３２は、第一筐体２２と第二筐体２４との組み付け状態において、Ｈ方向に見て、前壁２２Ｂと前壁２４Ｂとの間に配置される。Ｄ方向における壁面３６Ｂと前壁２４ＢのＤ方向手前側の側面２７との間隔は、一例として、長さｄ２（＜ｄ１）である。
【００２１】
拡幅溝部３４は、前壁２２Ｂに隣接して形成されており、Ｗ方向における位置ｂから位置ｅまで延びる。即ち、拡幅溝部３４の左端は、第二溝部３６の右端（終端）に接続される。なお、第一筐体２２と第二筐体２４との組み付け状態では、拡幅溝部３４が前壁２４ＢのＤ方向手前側に隣接する。また、拡幅溝部３４は、傾斜溝壁３４Ａと、壁面３４Ｂと、壁面３４Ｃと、傾斜溝壁３４Ｄとを有する。傾斜溝壁３４Ａ、壁面３４Ｂ、壁面３４Ｃ、及び傾斜溝壁３４Ｄは、Ｈ方向に直立される。
【００２２】
傾斜溝壁３４Ａは、第二溝部３６との接続部に形成され、傾斜溝壁３４Ｄは、第一溝部３３との接続部に形成される。さらに、傾斜溝壁３４Ａ及び傾斜溝壁３４Ｄは、後述する突起部６５及び突起部６６（図１３参照）を開口部２６に向けて案内する面である。
【００２３】
傾斜溝壁３４Ａは、壁面３６Ｂの右端からＷ方向の右側に向かってＤ方向の奥側に傾斜される。壁面３４Ｂは、Ｄ方向の奥側（前壁２４Ｂ側）で傾斜溝壁３４Ａの右端からＷ方向に沿って形成される。壁面３４Ｃは、Ｄ方向の手前側で壁面３６Ａの右端からＷ方向に沿って形成される。傾斜溝壁３４Ｄは、壁面３４Ｃの右端からＷ方向の右側に向かってＤ方向の奥側に傾斜される。壁面３４Ｂと壁面３４ＣはＤ方向で対向しており、壁面３４Ｂと壁面３４ＣのＤ方向の間隔（溝幅）は、長さｄ３（＞ｄ１）である。
【００２４】
即ち、拡幅溝部３４は、第一溝部３３と第二溝部３６に傾斜溝壁３４Ａ及び傾斜溝壁３４Ｄを介して接続される。そして、第一長溝３２では、第二溝部３６、拡幅溝部３４、第一溝部３３、及び第三溝部３８が連続する。
【００２５】
また、傾斜溝壁３４Ａは、位置ｂから位置ｃまで形成される。傾斜溝壁３４Ｄは、位置ｄから位置ｅまで形成される。即ち、傾斜溝壁３４Ｄは、傾斜溝壁３４ＡよりもＷ方向の右側に形成される。さらに、傾斜溝壁３４ＡのＷ方向に対する傾斜角度は、一例として、傾斜溝壁３４ＤのＷ方向に対する傾斜角度と等しい。
【００２６】
第一溝部３３は、前壁２２ＢからＤ方向の奥側へ長さｄ２だけ離れて形成されており、Ｗ方向における位置ｅから位置ｈまで延びる。さらに、第一溝部３３は、位置ｇから位置ｈまでにおいて、Ｄ方向の溝幅が長さｄ１から長さｄ５に減少される。なお、第一溝部３３は、第三溝部３８を含むため、第一長溝３２の位置ｅから位置ｊまでの部分に相当するが、ここでは、位置ｅから位置ｈまでを第一溝部３３、位置ｈから位置ｊまでを第三溝部３８として分けて説明する。
【００２７】
また、第一溝部３３は、Ｈ方向に直立しＤ方向で対向する壁面３３Ａと壁面３３Ｂを有する。壁面３３Ａは、Ｄ方向の手前側でＷ方向に沿って形成される。壁面３３Ｂは、Ｄ方向の奥側でＷ方向に沿って形成される。壁面３３Ａと壁面３３ＢのＤ方向の間隔（溝幅）は、一例として、長さｄ１である。ここで、壁面３３Ｂと壁面３４Ｂは、Ｗ方向に沿った同一面（Ｍ２）上にある。また、壁面３６Ａと壁面３４Ｃは、Ｗ方向に沿った同一面（Ｍ３）上にある。
【００２８】
第三溝部３８は、Ｗ方向の位置ｈから位置ｊまで、Ｄ方向の溝幅が長さｄ５（＜ｄ１）で直線状に延びる。また、第三溝部３８は、前壁２２ＢからＤ方向の奥側へ長さｄ４（＞ｄ２）だけ離れて形成される。さらに、第三溝部３８は、Ｈ方向に直立した傾斜面３８Ａ、壁面３８Ｂ、及び壁面３８Ｃを有する。
【００２９】
傾斜面３８Ａは、第一傾斜面の一例であり、第一溝部３３と第三溝部３８との接続部に形成される。そして、傾斜面３８Ａは、後述する突起部６６（図１３参照）を第三溝部３８に向けて案内する面である。また、傾斜面３８Ａは、壁面３３Ａの右端からＷ方向の右側に向かってＤ方向の奥側に傾斜される。さらに、傾斜面３８Ａは、Ｗ方向に対する傾斜角度が、一例として、傾斜溝壁３４Ａ及び傾斜溝壁３４Ｄと等しい。なお、傾斜面３８Ａは、一例として、突起部６５（図１３参照）が傾斜溝壁３４Ｄと接触したとき、突起部６６（図１３参照）が傾斜面３８Ａと接触する位置に配置される。
【００３０】
壁面３８Ｂは、傾斜面３８Ａの右端に連続して、Ｄ方向の手前側でＷ方向に沿って形成される。壁面３８Ｃは、壁面３３Ｂの右端に連続して、Ｄ方向の奥側でＷ方向に沿って形成される。壁面３８Ｂと壁面３８Ｃは、Ｄ方向で対向する。
【００３１】
＜第二筐体＞
図６に示すように、第二筐体２４は、第二筐体２４をＨ方向下側から見て、Ｄ方向を長手方向とする長方形状に形成される。具体的には、第二筐体２４は、外形が長方形状の枠材２４Ａを有する。また、第二筐体２４は、枠材２４Ａの周縁部よりも内側でＨ方向下側へ延びる板状の前壁２４Ｂ、左壁２４Ｃ、後壁２４Ｄ、及び右壁２４Ｅを有する。前壁２４Ｂは、壁部の一例である。枠材２４ＡにおけるＨ方向の下面で前壁２４Ｂよりも外側には、第二長溝４２が形成される。第二長溝４２は、長溝の一例であり、Ｈ方向上側に向けて窪む。
【００３２】
図２に示すように、前壁２４Ｂには、開口部２６が形成される。開口部２６は、前壁２４ＢのＨ方向及びＷ方向の中央に位置しており、Ｄ方向に貫通される。また、開口部２６は、Ｄ方向に見てＷ方向に長い長方形状に形成される。さらに、開口部２６の大きさは、ジャック２８のＤ方向手前側の端部がＤ方向手前側へ露出される大きさである。ジャック２８には、ＵＳＢケーブル２９（図１９参照）のプラグ２９Ａ（図１９参照）が接続される。
【００３３】
第二筐体２４のＨ方向上部には、情報表示のためのディスプレイを兼ねたタッチパネル５６が取り付けられる。タッチパネル５６は、図示しないケーブルを介して、電子ユニット５２（図３参照）の回路に電気的に接続される。なお、タッチパネル５６に代えて、情報表示のためのディスプレイや、入力操作のための操作パネル、あるいは操作ボタンを設けてもよい。
【００３４】
（第二長溝）
図７に示すように、第二長溝４２は、第一溝部４３と、拡幅溝部４４と、第二溝部４６と、第三溝部４８とを有する。また、第二長溝４２は、Ｗ方向の左側から右側へ向けて、Ｗ方向に沿って、第二溝部４６、拡幅溝部４４、第一溝部４３、第三溝部４８の順で形成される。なお、第三溝部４８は、第一溝部４３の終端部に形成されており、第一溝部４３に含まれる。
【００３５】
図７では、第二筐体２４をＨ方向下側から見ているため、図７に示す第二筐体２４の左右と実際の第二筐体２４の左右とは逆である。また、図７に示す第二筐体２４の手前側、奥側と実際の第二筐体２４の手前側、奥側とは同じである。第二長溝４２のＨ方向の深さはＨ２（図１６参照）である。
【００３６】
さらに、第二長溝４２は、前壁２４ＢよりもＤ方向の手前側（外側）に形成される。そして、第二長溝４２は、第一筐体２２と第二筐体２４とを組み付けた状態において、Ｈ方向に見て、前壁２２Ｂと前壁２４Ｂとの間に配置される。なお、第二長溝４２は、第一長溝３２（図５参照）と同じ形状、同じ大きさであり、Ｈ方向で対向配置される。第二長溝４２の各部の位置は、仮想線Ｐ上の位置ａ、ｂ、ｃ、ｄ、ｅ、ｆ、ｇ、ｈ、ｉ、ｊで示される。
【００３７】
第二溝部４６は、前壁２４Ｂから離れた位置で、且つ前壁２２Ｂに隣接する位置に形成される。また、第二溝部４６は、Ｗ方向における位置ａから位置ｂまで直線状に延びる。さらに、第二溝部４６は、Ｈ方向に直立しＤ方向で対向する壁面４６Ａと壁面４６Ｂを有する。壁面４６Ａは、Ｄ方向の手前側でＷ方向に沿って形成される。壁面４６Ｂは、Ｄ方向の奥側でＷ方向に沿って形成される。Ｄ方向における壁面４６Ａと壁面４６Ｂとの間隔（溝幅）は、長さｄ１である。また、Ｄ方向における壁面４６Ｂと前壁２４Ｂとの間隔は、長さｄ２である。
【００３８】
拡幅溝部４４は、前壁２４Ｂに隣接して形成されており、Ｗ方向における位置ｂから位置ｅまで延びる。即ち、拡幅溝部４４の左端は、第二溝部４６の右端（終端）に接続される。第一筐体２２と第二筐体２４との組み付け状態では、拡幅溝部４４が前壁２２ＢのＤ方向奥側に隣接する。また、拡幅溝部４４は、傾斜溝壁４４Ａと、壁面４４Ｂと、壁面４４Ｃと、傾斜溝壁４４Ｄとを有する。
【００３９】
傾斜溝壁４４Ａは、第二溝部４６との接続部に形成され、傾斜溝壁４４Ｄは、第一溝部４３との接続部に形成される。さらに、傾斜溝壁４４Ａ及び傾斜溝壁４４Ｄは、後述する突起部６３及び突起部６４（図１２参照）を開口部２６（図２参照）に向けて案内する面である。傾斜溝壁４４Ａ、壁面４４Ｂ、壁面４４Ｃ、及び傾斜溝壁４４Ｄは、Ｈ方向に直立される。
【００４０】
傾斜溝壁４４Ａは、壁面４６Ｂの右端からＷ方向の右側に向かってＤ方向の奥側に傾斜される。壁面４４Ｂは、Ｄ方向の奥側で傾斜溝壁４４Ａの右端からＷ方向に沿って形成される。壁面４４Ｃは、Ｄ方向の手前側で壁面４６Ａの右端からＷ方向に沿って形成される。傾斜溝壁４４Ｄは、壁面４４Ｃの右端からＷ方向の右側に向かってＤ方向の奥側に傾斜される。壁面４４Ｂと壁面４４ＣはＤ方向で対向しており、壁面４４Ｂと壁面４４ＣのＤ方向の間隔（溝幅）は、長さｄ３（＞ｄ１）である。
【００４１】
即ち、拡幅溝部４４は、第一溝部４３と第二溝部４６に傾斜溝壁４４Ａ及び傾斜溝壁４４Ｄを介して接続される。そして、第二長溝４２では、第二溝部４６、拡幅溝部４４、第一溝部４３、及び第三溝部４８が連続する。
【００４２】
また、傾斜溝壁４４Ａは、位置ｂから位置ｃまで形成される。傾斜溝壁４４Ｄは、位置ｄから位置ｅまで形成される。即ち、傾斜溝壁４４Ｄは、傾斜溝壁４４ＡよりもＷ方向の右側に形成される。さらに、傾斜溝壁４４ＡのＷ方向に対する傾斜角度は、一例として、傾斜溝壁４４ＤのＷ方向に対する傾斜角度と等しい。
【００４３】
第一溝部４３は、前壁２２ＢからＤ方向の奥側へ長さｄ２だけ離れて形成されており、Ｗ方向における位置ｅから位置ｈまで延びる。さらに、第一溝部４３は、位置ｇから位置ｈまでにおいて、Ｄ方向の溝幅が長さｄ１から長さｄ５に減少される。なお、第一溝部４３は、第三溝部４８を含むため、第二長溝４２の位置ｅから位置ｊまでの部分に相当するが、ここでは、位置ｅから位置ｈまでを第一溝部４３、位置ｈから位置ｊまでを第三溝部４８として分けて説明する。
【００４４】
また、第一溝部４３は、Ｈ方向に直立しＤ方向で対向する壁面４３Ａと壁面４３Ｂを有する。壁面４３Ａは、Ｄ方向の手前側でＷ方向に沿って形成される。壁面４３Ｂは、Ｄ方向の奥側でＷ方向に沿って形成される。壁面４３Ａと壁面４３ＢのＤ方向の間隔（溝幅）は、一例として、長さｄ１である。ここで、壁面４３Ｂと壁面４４Ｂは、Ｗ方向に沿った同一面（Ｍ２）上にある。また、壁面４６Ａと壁面４４Ｃは、Ｗ方向に沿った同一面（Ｍ３）上にある。
【００４５】
第三溝部４８は、Ｗ方向の位置ｈから位置ｊまで、Ｄ方向の溝幅が長さｄ５で直線状に延びる。また、第三溝部４８は、前壁２２ＢからＤ方向の奥側へ長さｄ４だけ離れて形成される。さらに、第三溝部４８は、Ｈ方向に直立した傾斜面４８Ａ、壁面４８Ｂ、及び壁面４８Ｃを有する。
【００４６】
傾斜面４８Ａは、第一傾斜面の一例であり、第一溝部４３と第三溝部４８との接続部に形成される。そして、傾斜面４８Ａは、後述する突起部６４（図１２参照）を第三溝部４８に向けて案内する面である。また、傾斜面４８Ａは、壁面４３Ａの右端からＷ方向の右側に向かってＤ方向の奥側に傾斜される。さらに、傾斜面４８Ａは、Ｗ方向に対する傾斜角度が、一例として、傾斜溝壁４４Ａ及び傾斜溝壁４４Ｄと等しい。なお、傾斜面４８Ａは、一例として、突起部６３（図１２参照）が傾斜溝壁４４Ｄと接触したとき、突起部６４（図１２参照）が傾斜面４８Ａと接触する位置に配置される。
【００４７】
壁面４８Ｂは、傾斜面４８Ａの右端に連続して、Ｄ方向の手前側でＷ方向に沿って形成される。壁面４８Ｃは、壁面４３Ｂの右端に連続して、Ｄ方向の奥側でＷ方向に沿って形成される。壁面４８Ｂと壁面４８Ｃは、Ｄ方向で対向する。
【００４８】
図１６に示すように、第一長溝３２と第二長溝４２は、前壁２４ＢのＤ方向手前側の側面２７に沿って、Ｈ方向で並列してＷ方向に延びる。具体的には、第一溝部３３と第一溝部４３は、開口部２６を間において、側面２７に沿って、Ｈ方向で並列してＷ方向に延びる。
【００４９】
図５及び図７において、第二溝部３６と第二溝部４６は、開口部２６から離れた位置で、側面２７に沿って、Ｈ方向で並列してＷ方向に延びる。拡幅溝部３４は、Ｈ方向で拡幅溝部４４と対向する。また、第三溝部３８は、Ｈ方向で第三溝部４８と対向する。さらに、拡幅溝部３４の終端（位置ｅ）から第三溝部３８の終端（位置ｊ）までの長さは、拡幅溝部４４の終端（位置ｅ）から第三溝部４８の終端（位置ｊ）までの長さと等しく、（Ｗ３＋Ｗ４）である。そして、長さ（Ｗ３＋Ｗ４）は、一例として、蓋部材１６における後述する長さＷ１０（図１２参照）と等しい。
【００５０】
〔蓋部材〕
次に、蓋部材１６について説明する。
【００５１】
図８、図９、図１０、及び図１１に示すように、蓋部材１６は、一例として、本体部６２を有する。本体部６２には、Ｈ方向に突出した突起部６３、突起部６４、突起部６５、及び突起部６６と、Ｗ方向に突出した突出部６７と、Ｄ方向に突出した取手部６９とが形成される。なお、突起部６３、突起部６４、突起部６５、及び突起部６６は、一例として、Ｄ方向を厚み方向とする板片とされる。
【００５２】
（本体部）
図８に示すように、本体部６２は、Ｗ方向を長手方向とし、Ｈ方向を短手方向とする長方形状で、Ｄ方向を厚み方向とする板状に形成される。また、本体部６２は、取手部６９が形成された側からＤ方向に見て、上面６２Ａ、下面６２Ｂ、左側面６２Ｃ、右側面６２Ｄ、表面６２Ｅ、及び裏面６２Ｆ（図９参照）を有する。さらに、本体部６２は、Ｗ方向の長さがＷ５、Ｄ方向の厚みがｄ７（図１０参照）、Ｈ方向の高さがＨ４である。
【００５３】
長さＷ５は、開口部２６（図１５参照）のＷ方向の長さＷ６（図１５参照）よりも長い。さらに、長さＷ５は、開口部２６が蓋部材１６で閉止された閉止状態において、蓋部材１６が、Ｈ方向で拡幅溝部３４（図５参照）及び拡幅溝部４４（図７参照）を覆う長さである。また、高さＨ４は、開口部２６のＨ方向の高さＨ５（図１６参照）よりも高い。
【００５４】
（突起部）
突起部６３は、上面６２ＡのＷ方向中央よりも左側でＨ方向上側へ向けて突出される。突起部６４は、上面６２ＡのＷ方向中央よりも右側でＨ方向上側へ向けて突出される。即ち、突起部６３と突起部６４は、Ｗ方向に間隔をあけて配置される。なお、突起部６３は、突起及び第一突起の一例である。突起部６４は、突起及び第二突起の一例である。
【００５５】
突起部６５は、下面６２ＢのＷ方向中央よりも左側でＨ方向下側へ向けて突出される。突起部６６は、下面６２ＢのＷ方向中央よりも右側でＨ方向下側へ向けて突出される。即ち、突起部６５と突起部６６は、Ｗ方向に間隔をあけて配置される。なお、突起部６５は、突起及び第一突起の一例である。突起部６６は、突起及び第二突起の一例である。
【００５６】
また、突起部６３及び突起部６４は、一例として、上面６２Ａから突出された長さがＨ３である。突起部６５及び突起部６６は、一例として、下面６２Ｂから突出された長さがＨ３である。長さＨ３は、第一長溝３２（図１６参照）の深さＨ１（図１６参照）及び第二長溝４２（図１６参照）の深さＨ２（図１６参照）よりも長い。
【００５７】
図１２に示すように、突起部６３は、一例として、Ｈ方向に見て、長方形の１組の対角を斜めにカットした外形を有する。また、突起部６３は、前面６３Ａ、傾斜面６３Ｂ、右側面６３Ｃ、後面６３Ｄ、傾斜面６３Ｅ、及び左側面６３Ｆを有する。前面６３ＡはＤ方向手前側に配置され、後面６３ＤはＤ方向奥側に配置される。Ｄ方向奥側は、前壁２４Ｂ（図２参照）側である。前面６３Ａから後面６３ＤまでのＤ方向の厚みはｄ８である。厚みｄ８は、一例として、本体部６２の厚みｄ７よりも薄い。
【００５８】
傾斜面６３Ｂは、一例として、Ｗ方向に対する傾斜角度が、第二長溝４２の傾斜溝壁４４Ｄ（図７参照）と等しい。傾斜面６３Ｅは、一例として、Ｗ方向に対する傾斜角度が、第二長溝４２の傾斜溝壁４４Ａ（図７参照）と等しい。なお、傾斜面６３Ｂ及び傾斜面６３Ｅは、第二傾斜面の一例である。
【００５９】
突起部６４は、一例として、Ｈ方向に見て、長方形の１組の対角を斜めにカットした外形を有する。また、突起部６４は、前面６４Ａ、傾斜面６４Ｂ、右側面６４Ｃ、後面６４Ｄ、傾斜面６４Ｅ、及び左側面６４Ｆを有する。前面６４ＡはＤ方向手前側に配置され、後面６４ＤはＤ方向奥側に配置される。前面６４Ａから後面６４ＤまでのＤ方向の厚みはｄ９である。厚みｄ９は、突起部６３の厚みｄ８よりも薄い。
【００６０】
傾斜面６４Ｂは、一例として、Ｗ方向に対する傾斜角度が、第二長溝４２の傾斜溝壁４４Ｄ及び傾斜面４８Ａ（図７参照）と等しい。傾斜面６４Ｅは、一例として、Ｗ方向に対する傾斜角度が、第二長溝４２の傾斜溝壁４４Ａ（図７参照）と等しい。なお、傾斜面６４Ｂ及び傾斜面６４Ｅは、第二傾斜面の一例である。
【００６１】
後面６４Ｄと後面６３Ｄは、一例として、Ｗ方向に沿った同一面（Ｍ１）上にある。前面６４Ａは、前面６３ＡよりもＤ方向奥側に配置される。前面６３Ａと前面６４ＡとのＤ方向におけるずれの長さは（ｄ８−ｄ９）である。一例として、ずれの長さ（ｄ８−ｄ９）は、長さｄ２（図７参照）と等しい。また、突起部６３のＷ方向の長さはＷ７である。突起部６４のＷ方向の長さはＷ９である。さらに、突起部６３と突起部６４のＷ方向の間隔はＷ８である。即ち、突起部６３の外端である左側面６３Ｆから突起部６４の外端である右側面６４Ｃまでの長さＷ１０は、長さ（Ｗ７＋Ｗ８＋Ｗ９）である。
【００６２】
長さＷ８は、一例として、開口部２６（図１５参照）のＷ方向の長さＷ６（図１５参照）よりも短い。そして、開口部２６は、位置ｆから位置ｉまでの区間に形成される。これにより、蓋部材１６が開口部２６を閉止する閉止状態では、突起部６３及び突起部６５（図１３参照）が開口部２６のＷ方向左側に配置され、突起部６４及び突起部６６（図１３参照）が開口部２６のＷ方向右側に配置される。長さＷ１０は、一例として、第一溝部４３及び第三溝部４８（図７参照）のＷ方向の長さ（Ｗ３＋Ｗ４）と等しい。長さＷ９は、一例として、長さＷ７及び長さＷ４（図７参照）と等しい。
【００６３】
図１３に示すように、突起部６５は、一例として、Ｈ方向に見て、長方形の１組の対角を斜めにカットした外形を有する。また、突起部６５は、前面６５Ａ、傾斜面６５Ｂ、右側面６５Ｃ、後面６５Ｄ、傾斜面６５Ｅ、及び左側面６５Ｆを有する。前面６５ＡはＤ方向手前側に配置され、後面６５ＤはＤ方向奥側に配置される。前面６５Ａから後面６５ＤまでのＤ方向の厚みは、突起部６３（図１２参照）と等しくｄ８である。
【００６４】
傾斜面６５Ｂは、一例として、Ｗ方向に対する傾斜角度が、第一長溝３２の傾斜溝壁３４Ｄ（図５参照）と等しい。傾斜面６５Ｅは、一例として、Ｗ方向に対する傾斜角度が、第一長溝３２の傾斜溝壁３４Ａ（図５参照）と等しい。なお、傾斜面６５Ｂ及び傾斜面６５Ｅは、第二傾斜面の一例である。
【００６５】
突起部６６は、一例として、Ｈ方向に見て、長方形の１組の対角を斜めにカットした外形を有する。また、突起部６６は、前面６６Ａ、傾斜面６６Ｂ、右側面６６Ｃ、後面６６Ｄ、傾斜面６６Ｅ、及び左側面６６Ｆを有する。前面６６ＡはＤ方向手前側に配置され、後面６６ＤはＤ方向奥側に配置される。前面６６Ａから後面６６ＤまでのＤ方向の厚みは、突起部６４（図１２参照）と等しくｄ９である。
【００６６】
傾斜面６６Ｂは、一例として、Ｗ方向に対する傾斜角度が、第一長溝３２の傾斜溝壁３４Ｄ及び傾斜面３８Ａ（図５参照）と等しい。傾斜面６６Ｅは、一例として、Ｗ方向に対する傾斜角度が、第一長溝３２の傾斜溝壁３４Ａ（図５参照）と等しい。なお、傾斜面６６Ｂ及び傾斜面６６Ｅは、第二傾斜面の一例である。
【００６７】
後面６６Ｄと後面６５Ｄは、一例として、Ｗ方向に沿った同一面（Ｍ１）上にある。そして、前面６６Ａは、前面６５ＡよりもＤ方向奥側に配置される。前面６５Ａと前面６６ＡとのＤ方向におけるずれの長さは（ｄ８−ｄ９）である。既述のように、ずれの長さ（ｄ８−ｄ９）は、長さｄ２（図５参照）と等しい。また、突起部６５のＷ方向の長さは、突起部６３（図１２参照）と等しくＷ７である。突起部６６のＷ方向の長さは、突起部６４（図１２参照）と等しくＷ９である。さらに、突起部６５と突起部６６のＷ方向の間隔は、突起部６３と突起部６４のＷ方向の間隔と等しくＷ８である。そして、突起部６５の外端である左側面６５Ｆから突起部６６の外端である右側面６６Ｃまでの長さは、Ｗ１０である。
【００６８】
（突出部）
図１０及び図１１に示すように、突出部６７は、本体部６２の右側面６２ＤからＷ方向右側へ向けて突出される。Ｗ方向は、交差方向の一例である。また、突出部６７は、一例として、Ｗ方向右端に被接触部６７Ａが形成される。被接触部６７Ａは、Ｄ方向手前側へ向けて突出された部位である。さらに、突出部６７は、右側面６２Ｄから被接触部６７Ａに向けてＤ方向の厚みが薄くされる。これにより、被接触部６７Ａが、本体部６２の表面６２ＥよりもＤ方向手前側に突出することが抑制される。
【００６９】
図１０に示すように、被接触部６７Ａは、開口部２６（図２参照）が蓋部材１６で閉止される閉止状態で、前壁２２Ｂの接触部３１と接触する。さらに、被接触部６７Ａは、蓋部材１６のＷ方向への移動に伴い、接触部３１を乗り越える大きさ及び外形を有する。
【００７０】
（取手部）
図１０に示すように、取手部６９は、本体部６２のＷ方向右端に隣接する部位で、Ｄ方向手前側へ向けて突出される。また、取手部６９は、切欠部２５を通り前壁２２Ｂよりも手前側に突出される。そして、取手部６９は、使用者により操作される。
【００７１】
ここで、図１０に示す突起部６３及び突起部６４は、図７に示す第二長溝４２内に挿入され、第二長溝４２内をＷ方向に移動される。そして、突起部６３は、第一溝部４３及び第二溝部４６と係合される。突起部６４は、第三溝部４８に係合される。また、図１１に示す突起部６５及び突起部６６は、図５に示す第一長溝３２内に挿入され、第一長溝３２内をＷ方向に移動される。そして、突起部６５は、第一溝部３３及び第二溝部３６と係合される。突起部６６は、第三溝部３８に係合される。
【００７２】
〔パッキン〕
次に、パッキン１８について説明する。
【００７３】
図９に示すパッキン１８は、一例として、シリコンゴムで形成される。また、パッキン１８は、本体部６２の裏面６２Ｆに固定される固定部１８Ａと、固定部１８Ａの周縁に形成された周縁部１８Ｂとを有する。固定部１８Ａ及び周縁部１８Ｂは、一体である。固定部１８Ａは、一例として、二色成形により本体部６２に固定される。なお、固定部１８Ａの本体部６２への固定方法は、一体成型または接着剤による固定でもよい。
【００７４】
周縁部１８Ｂは、前壁２４Ｂ（図１０参照）へ向けて、固定部１８ＡよりもＤ方向奥側へ突出される。周縁部１８ＢのＤ方向の突出長さは、蓋部材１６が後述する閉止位置に配置されるとき、蓋部材１６と前壁２４Ｂとに挟まれて圧縮される長さである。また、周縁部１８Ｂは、蓋部材１６が閉止位置に配置される閉止状態において、開口部２６（二点鎖線で示す）を取り囲むように閉曲線状に形成される。
【００７５】
さらに、パッキン１８は、一例として、突起部６３及び突起部６５のＷ方向外端から、突起部６４及び突起部６６のＷ方向外端までに対応する領域Ｓ（一点鎖線で示す）の内側に配置される。突起部６３の外端は左側面６３Ｆであり、突起部６５の外端は左側面６５Ｆである。突起部６４の外端は、右側面６４Ｃであり、突起部６６の外端は、右側面６６Ｃである。
【００７６】
次に、本実施形態の作用及び効果について説明する。
【００７７】
ここで、第一長溝３２（図５参照）と第二長溝４２（図７参照）とは、同じ形状及び同じ大きさである。また、突起部６３（図１２参照）と突起部６５（図１３参照）は、同じ形状及び同じ大きさであり、突起部６４（図１２参照）と突起部６６（図１３参照）は、同じ形状及び同じ大きさである。そして、第一長溝３２（図５参照）内における突起部６５及び突起部６６（図１３参照）の動きと、第二長溝４２（図７参照）内における突起部６３及び突起部６４（図１２参照）の動きとは、同じである。このため、以後の説明では、第一長溝３２内における突起部６５及び突起部６６の動きについて説明し、第二長溝４２内における突起部６３及び突起部６４の動きについての説明は省略する。
【００７８】
＜開口部の開放＞
図１４及び図１５に示すように、蓋部材１６の開放位置は、蓋部材１６が開口部２６に対してＷ方向左側に配置され、取手部６９が切欠部２５のＷ方向左側の面と接触する位置である。蓋部材１６が開放位置に配置された開放状態では、開口部２６が開放され、且つジャック２８がＤ方向手前側に露出される。
【００７９】
図２０に示すように、開口部２６の開放状態では、突起部６５が第二溝部３６と係合される。これにより、蓋部材１６は、開放位置で保持される。なお、突起部６６は、第二溝部３６と係合されない。また、蓋部材１６は、突起部６５及び突起部６６が第一長溝３２に挿入されており、且つＤ方向に離脱され難いので、紛失を防ぐことができる。
【００８０】
さらに、開口部２６の開放状態では、前壁２２Ｂが蓋部材１６の一部を覆う。これにより、パッキン１８の周囲に埃などの異物が侵入することが抑制されるので、パッキン１８に異物が付着するのを抑制することができる。
【００８１】
また、開口部２６の開放状態では、パッキン１８が前壁２４Ｂと接触しない。これにより、開放位置ではパッキン１８に圧縮力が作用しないので、パッキン１８に圧縮力が作用することに起因して生じるパッキン１８の劣化を抑制することができる。さらに、開口部２６の開放状態では、蓋部材１６と前壁２２Ｂとの間に隙間が形成され、蓋部材１６と前壁２２Ｂが接触しない。これにより、蓋部材１６は、意匠面である表面６２Ｅ（図８参照）と前壁２２Ｂとの接触による傷の発生を抑制することができる。
【００８２】
図１９に示すように、開口部２６の開放状態において、ジャック２８にプラグ２９Ａが接続される。これにより、図１７及び図１８に示すように、スマートフォン１０にＵＳＢケーブル２９が接続され、データの送信、データの受信、電力供給などが行われる。ＵＳＢケーブル２９がスマートフォン１０に接続されるときは、蓋部材１６が開放位置で保持されるので、蓋部材１６が接続動作の邪魔になるのを抑制することができる。
【００８３】
＜開口部の閉止＞
図２０に示す開口部２６の開放状態において、取手部６９をＷ方向右側へ移動させることで、蓋部材１６が開放位置からＷ方向右側へ移動される。蓋部材１６は、移動を開始したとき、突起部６５が第二溝部３６との接触によりＷ方向に案内されるので、Ｗ方向に沿った姿勢が保持される。
【００８４】
続いて、図２１に示すように、蓋部材１６がＷ方向右側へ移動し、突起部６６が拡幅溝部３４を通過して第一溝部３３に至るとき、突起部６６の前面６６Ａは、突起部６５の前面６５ＡよりもＤ方向奥側に位置する。ここで、前面６６Ａと前面６５ＡとのＤ方向におけるずれの長さｄ８−ｄ９（図１３参照）は、前壁２２Ｂから壁面３３ＡまでのＤ方向の長さｄ２（図５参照）と等しい。このため、突起部６６は、Ｗ方向右側への移動において、傾斜溝壁３４Ｄとの接触が抑制されるので、蓋部材１６のＷ方向への移動に伴う蓋部材１６の傾きを抑制することができる。このとき、パッキン１８は前壁２４Ｂと接触しない。
【００８５】
突起部６６が第一溝部３３に至った後、突起部６５が拡幅溝部３４内に進入することで、突起部６５と第二溝部３６との係合が解除される。このとき、壁面３６Ａと壁面３４Ｃが同一面上にあるので、突起部６５及び突起部６６のＷ方向の移動をスムーズに行うことができる。
【００８６】
続いて、蓋部材１６がＷ方向右側への移動を続けると、突起部６６の傾斜面６６Ｂが傾斜面３８Ａに案内されると共に、突起部６５の傾斜面６５Ｂが傾斜溝壁３４Ｄに案内される。ここで、傾斜面３８Ａの傾斜角度と傾斜面６６Ｂの傾斜角度とが同じであり、且つ傾斜溝壁３４Ｄの傾斜角度と傾斜面６５Ｂの傾斜角度とが同じなので、蓋部材１６の姿勢を崩さずに、蓋部材１６をＷ方向に対して開口部２６側に近づけることができる。
【００８７】
続いて、図２２に示すように、蓋部材１６がＷ方向右側へ移動すると、突起部６６は、第三溝部３８内に進入して第三溝部３８と係合される。また、突起部６５は、第一溝部３３内に進入して第一溝部３３と係合される。このとき、パッキン１８が、開口部２６の周囲の前壁２４Ｂと接触する。このようにして、蓋部材１６は、Ｗ方向に沿った姿勢が保持されると共に、開口部２６を覆う閉止位置に配置される。なお、壁面３４Ｂと壁面３３Ｂが同一面上にあるので、突起部６５のＷ方向の移動をスムーズに行うことができる。
【００８８】
図２４及び図２５に示すように、蓋部材１６が閉止位置に配置されたとき、図１０に示すように、被接触部６７Ａが接触部３１と接触して音が生じる。これにより、使用者は、音を聞くことで、蓋部材１６が閉止位置に到達したことを認識することができる。また、使用者は、蓋部材１６が閉止位置へ向けて移動され、且つ音がしない場合は、蓋部材１６が閉止位置に配置されない状態であることを認識できる。
【００８９】
また、図２３に示すように、蓋部材１６は、閉止位置に配置されたとき、第一長溝３２と突起部６５及び突起部６６との係合によりＤ方向の移動が規制される。これにより、パッキン１８の周縁部１８Ｂは、蓋部材１６と前壁２４Ｂとに挟まれる。そして、周縁部１８Ｂに圧縮力Ｆ１が作用することで、パッキン１８と前壁２４Ｂとの密着性（密閉性）が高められる。
【００９０】
即ち、スマートフォン１０及び蓋開閉部１２では、止水性能（水の浸入を抑制する性能）が高められる。また、スマートフォン１０及び蓋開閉部１２では、周縁部１８Ｂと前壁２４Ｂとの間に摩擦力が生じているため、蓋部材１６が開放位置へ向けて移動することが抑制される。周縁部１８Ｂの圧縮量は、各長溝及び各突起部の寸法を変えることで、任意の圧縮量を設定することができる。
【００９１】
ここで、蓋部材１６には、圧縮力Ｆ１に対して反力Ｆ２が作用する。このため、蓋部材１６を閉止位置から開放位置へ移動させるとき、突起部６５及び突起部６６は、第一長溝３２のＤ方向手前側に押し付けられる。これにより、蓋部材１６を閉止位置から開放位置へ移動させる場合は、図２０及び図２１に示すように、突起部６５が、Ｄ方向手前側の壁面３３Ａ、３４Ｃ、３６Ａで案内される。また、突起部６６が、Ｄ方向手前側の壁面３８Ｂ、３３Ａで案内される。蓋部材１６が、Ｄ方向奥側へ押されながら閉止位置から開放位置へ移動された場合は、傾斜溝壁３４Ａ（図５参照）が、突起部６５及び突起部６６の案内面となる。
【００９２】
なお、パッキン１８は、開口部２６に嵌まらず、開口部２６の周囲の前壁２４Ｂと接触して圧縮されるので、開口部２６の形状、大きさに合わせて寸法精度を管理しなくて済む。これにより、パッキン１８を種々のコネクタや複数の機種で利用することができるので、他の電子機器において、設計時間の短縮に伴う開発費の低減や製造費の低減が可能となる。
【００９３】
以上説明したように、スマートフォン１０及び蓋開閉部１２では、蓋部材１６をＷ方向に移動させる一動作だけで開口部２６の開放又は閉止が行われるので、蓋部材１６の操作性を高めることができる。そして、蓋部材１６の操作性が高まることから、スマートフォン１０の利便性が向上する。
【００９４】
また、スマートフォン１０及び蓋開閉部１２では、拡幅溝部３４、４４の溝幅が第一溝部３３、４３及び第二溝部３６、４６よりも大きい。このため、拡幅溝部３４、４４の溝幅が第一溝部３３、４３及び第二溝部３６、４６の溝幅と同じ構成に比べて、拡幅溝部３４、４４内での蓋部材１６の移動可能な領域が大きくなる。これにより、蓋部材１６を開口部２６に向けて移動させたとき、拡幅溝部３４、４４内への蓋部材１６の進入動作をスムーズに行うことができる。
【００９５】
さらに、スマートフォン１０及び蓋開閉部１２では、蓋部材１６が、本体部６２よりも幅が小さい突起部６３、６４、６５、６６を有する。そして、突起部６３、６４、６５、６６が、第一長溝３２内及び第二長溝４２内を移動する。これにより、本体部６２の上端部及び下端部を第一長溝３２及び第二長溝４２で案内させる構成に比べて、第一長溝３２内及び第二長溝４２との接触面積が小さくなるので、蓋部材１６の移動をスムーズに行うことができる。
【００９６】
また、図２３に示すように、スマートフォン１０及び蓋開閉部１２では、突起部６５及び突起部６６が、開口部２６を間にして、Ｗ方向の左右両側に配置される。さらに、突起部６３及び突起部６４（図８参照）が、開口部２６を間にしてＨ方向の上下に並んで配置される。これにより、Ｗ−Ｄ面内、Ｗ−Ｈ面内、及びＤ−Ｈ面内での蓋部材１６の回転が抑制される。そして、蓋部材１６と前壁２４Ｂとの間隔が、Ｗ方向で異なることが抑制されるので、パッキン１８の一部に偏った圧縮力が作用するのを抑制することができる。
【００９７】
さらに、スマートフォン１０及び蓋開閉部１２では、図５及び図１３に示すように、突起部６５の左側面６５Ｆから、突起部６６の右側面６６Ｃまでの長さＷ１０が、第一溝部３３の全長である長さ（Ｗ３＋Ｗ４）と等しい。これにより、開口部２６の左側に突起部６３（図１２参照）及び突起部６５が配置され、開口部２６の右側に突起部６４（図１２参照）及び突起部６６が配置された状態でパッキン１８が圧縮される。このため、蓋部材１６の左右いずれか一方に突起部が配置される構成に比べて、パッキン１８の一部に偏った圧縮力が作用するのを抑制することができる。なお、長さ（Ｗ３＋Ｗ４）は、長さＷ１０以上であればよい。
【００９８】
加えて、スマートフォン１０及び蓋開閉部１２では、図１３に示すように、突起部６５の後面６５Ｄと突起部６６の後面６６ＤとがＷ方向で揃えられる。ここで、使用者が蓋部材１６をＤ方向奥側へ押しながらＷ方向へ移動させた場合、各突起部の後面が、第一長溝３２のＤ方向奥側の各面と接触して案内され、蓋部材１６と前壁２４Ｂとの間隔が、蓋部材１６の各部で異なることが抑制される。これにより、パッキン１８の一部に偏った圧縮力が作用するのを抑制することができる。
【００９９】
また、スマートフォン１０及び蓋開閉部１２では、図１３に示すように、突起部６６のＤ方向の厚みがｄ９であり、突起部６５のＤ方向の厚みｄ８よりも薄い。このため、例えば、図２１に示すように、突起部６５が第二溝部３６から拡幅溝部３４へ移動するとき、突起部６６は、第一溝部３３との間に隙間が生じる。これにより、突起部６６が第一溝部３３内を移動する間は、蓋部材１６にＤ方向の自由度があり、パッキン１８に圧縮力が作用しにくいので、蓋部材１６を閉止位置へ移動させる途中でパッキン１８の圧縮力が高まるのを抑制することができる。
【０１００】
さらに、スマートフォン１０及び蓋開閉部１２では、図２３に示すように、Ｗ方向における第三溝部３８の長さと突起部６６の長さが等しい。これにより、第三溝部３８と突起部６６が、Ｗ方向で係合（接触）されるので、突起部６６のＤ方向の厚みが突起部６５よりも薄い場合でも、反力Ｆ２に抵抗することができる。
【０１０１】
加えて、スマートフォン１０及び蓋開閉部１２では、図５及び図１３に示すように、傾斜面６５Ｂ、６６Ｂと、傾斜溝壁３４Ｄ、３８ＡとのＷ方向に対する傾斜角度が等しい。このため、蓋部材１６をＷ方向に移動させるとき、突起部６５及び突起部６６と第一長溝３２との接触による蓋部材１６の案内方向が揃うので、蓋部材１６の姿勢がＷ方向に対して傾くのを抑制することができる。
【０１０２】
また、スマートフォン１０及び蓋開閉部１２では、図９に示すように、パッキン１８が、突起部６５の外端から突起部６６の外端までに対応する領域Ｓの内側に配置される。これにより、パッキン１８から蓋部材１６へ作用する反力Ｆ２（図２３参照）が大きい場合でも、突起部６５及び突起部６６と第一溝部３２との接触により反力Ｆ２に抵抗するので、蓋部材１６が閉止位置からＤ方向にずれるのを抑制することができる。
【０１０３】
さらに、スマートフォン１０及び蓋開閉部１２では、図２２に示すように、蓋部材１６が閉止位置にある閉止状態で、蓋部材１６が拡幅溝部３４を覆う。これにより、スマートフォン１０及び蓋開閉部１２では、開口部２６の閉止状態において、拡幅溝部３４に異物が侵入するのを抑制することができる。
【０１０４】
加えて、スマートフォン１０及び蓋開閉部１２では、図１０に示すように、取手部６９が、突出部６７に隣接して前壁２２ＢよりもＤ方向手前側に突出されるので、被接触部６７Ａと接触部３１との接触状態の解除を簡単に行うことができる。
【０１０５】
また、スマートフォン１０及び蓋開閉部１２では、図９に示すように、パッキン１８が、固定部１８Ａと、固定部１８Ａの周縁に設けられた閉曲線状の周縁部１８Ｂとを有する。これにより、周縁部１８Ｂの内側全体が固定領域となるので、パッキン１８が蓋部材１６から外れるのを抑制することができる。
【０１０６】
次に、本実施形態の変形例について説明する。
【０１０７】
図２６には、蓋開閉部８０が示される。蓋開閉部８０は、スマートフォン１０（図１参照）において、蓋開閉部１２に換えて設けられ、長溝の一例としての長溝部８６を有する筐体８２と、蓋の一例としての蓋部材８４と、弾性部材の一例としてのパッキン９２とを有する。
【０１０８】
筐体８２は、壁部の一例としての前壁８８を有する。前壁８８は、筐体８２のＤ方向における手前側の側壁である。また、前壁８８は、Ｄ方向に貫通された開口部８８Ａと、Ｄ方向手前側でＷ方向に沿った側面８８Ｂを有する。開口部８８Ａは、一例として、Ｄ方向に見て円形である。開口部８８Ａの内側には、一例として、コネクタ８９が設けられる。
【０１０９】
長溝部８６は、第一溝部９４、第二溝部９５、及び拡幅溝部９６を有する。また、長溝部８６は、筐体８２における前壁８８のＤ方向手前側で、開口部８８Ａを間にして、Ｈ方向の上下に並んで形成される。なお、Ｈ方向上下の長溝部８６は同じ構成のため、Ｈ方向下側の長溝部８６について説明し、Ｈ方向上側の長溝部８６についての説明を省略する。
【０１１０】
第一溝部９４は、Ｈ方向に見て、開口部８８Ａと対向し且つＷ方向に沿って延びる。第二溝部９５は、Ｈ方向に見て、開口部８８ＡからＷ方向左側に離れた位置で、Ｗ方向に沿って延びる。そして、第一溝部９４と第二溝部９５は、拡幅溝部９６の傾斜溝壁９６Ａ、９６Ｂによって接続される。なお、第一溝部９４の溝幅と第二溝部９５の溝幅は、一例として、等しい。また、拡幅溝部９６の溝幅は、第一溝部９４の溝幅及び第二溝部９５の溝幅よりも大きい。
【０１１１】
傾斜溝壁９６Ａは、第一溝部９４のＤ方向手前側の面と第二溝部９５のＤ方向手前側の面とを接続する。傾斜溝壁９６Ｂは、第一溝部９４のＤ方向奥側の面と第二溝部９５のＤ方向奥側の面とを接続する。傾斜溝壁９６Ａ及び傾斜溝壁９６ＢのＷ方向に対する傾斜角度は、一例として、等しい。
【０１１２】
図２７に示すように、蓋部材８４は、本体部８４Ａと、突起の一例としての突起部８４Ｂ、８４Ｃと、突出部８４Ｄとを有する。
【０１１３】
本体部８４Ａは、Ｄ方向に見てＷ方向を長手方向とする長方形状に形成される。突起部８４Ｂは、本体部８４ＡのＷ方向中央で且つＨ方向上端から、Ｈ方向に沿って上側へ突出される。突起部８４Ｃは、本体部８４ＡのＷ方向中央で且つＨ方向下端から、Ｈ方向に沿って下側へ突出される。また、突起部８４Ｃは、Ｄ方向に見て長方形の１組の対角となる部位に傾斜面８４Ｆ（図２６参照）及び傾斜面８４Ｇが形成された外形である。
【０１１４】
突起部８４Ｂ及び突起部８４ＣのＤ方向の厚みは、第一溝部９４及び第二溝部９５と係合する大きさである。また、傾斜面８４Ｆ及び傾斜面８４Ｇは、一例として、傾斜溝壁９６Ａ及び傾斜溝壁９６Ｂ（図２６参照）のＷ方向に対する傾斜角度と等しい。なお、突起部８４Ｂは、一例として、突起部８４Ｃと同じ形状、同じ大きさのため、説明を省略する。
【０１１５】
突出部８４Ｄは、本体部８４ＡのＷ方向の一端から、Ｗ方向に沿って外側へ突出される。また、本体部８４ＡにおけるＤ方向の奥側の面である裏面８４Ｅの中央部には、パッキン９２が固定される。パッキン９２は、一例として、円板状の固定部９２Ａと、固定部９２Ａの周縁でＤ方向奥側に突出された円環状の周縁部９２Ｂとを有する。周縁部９２Ｂの内径は、開口部８８Ａの外径よりも大きい。また、周縁部９２Ｂの外径は、一例として、突起部８４ＣのＷ方向の幅よりも小さい。
【０１１６】
ここで、図２６に示すように、蓋部材８４をＷ方向に沿って開放位置から閉止位置まで移動させたとき、突起部８４Ｃは、第二溝部９５から拡幅溝部９６へ移動し、傾斜溝壁９６Ａで案内され、第一溝部９４へ移動する。そして、蓋部材８４は、突起部８４Ｃと第一溝部９４との係合により、閉止位置で保持される。パッキン９２は、周縁部９２Ｂが蓋部材８４と前壁８８とに挟まれて圧縮される。このように、蓋部材に設ける突起の数は、Ｈ方向上下で１つずつでもよい。
【０１１７】
上記の実施形態において、電子機器の一例として、スマートフォン１０について記載した。しかし、電子機器は、スマートフォン１０に限らず、例えば、携帯電話、カメラ、携帯型音響再生装置などの携帯型機器や、パソコン、オーディオ機器、タブレット端末などを挙げることができる。
【０１１８】
筐体１４は、前壁２４Ｂが前壁２２ＢよりもＤ方向手前側に配置され、前壁２２Ｂに開口部２６が形成され、前壁２４Ｂに切欠部２５が形成されたものでもよい。開口部２６の形状は、長方形や円形に限らず、楕円形や他の多角形であってもよい。また、ジャック２８は、開口部２６内に配置されていなくともよく、前壁２４ＢよりもＤ方向奥側に配置されていてもよい。さらに、筐体１４は、前壁２２Ｂが無いものであってもよい。加えて、筐体１４は、接触部３１が形成されていないものであってもよい。
【０１１９】
蓋部材１６は、Ｄ方向に見て長方形のものに限らず、円形、楕円形、他の多角形であってもよい。また、蓋部材１６は、突出部６７に被接触部６７Ａが形成されていないものや、突出部６７が形成されていないものであってもよい。さらに、蓋部材１６のＷ方向左端に引張バネを取り付け、蓋部材１６を開放位置へ向けて引っ張ってもよい。これにより、蓋部材１６の開放動作を簡単に行うことができる。また、蓋部材１６のＷ方向左端にコイルバネを設けて、蓋部材１６を閉止位置へ向けて付勢してもよい。これにより、蓋部材１６の閉止動作を簡単に行うことができる。加えて、蓋部材１６をモーターで移動させてもよい。
【０１２０】
突起は、突起部６３、突起部６４、突起部６５、及び突起部６６のような板片に限らず、円柱状や半球状であってもよい。また、突起は、突起部６３、突起部６４、突起部６５、及び突起部６６のように、上下２箇所ずつ形成されたものに限らず、上下それぞれ３箇所以上形成されてもよい。さらに、各突起部は、長方形の１組の対角に傾斜面を形成したものに限らず、湾曲面を形成したものであってもよい。また、各突起部は、蓋部材１６が開放位置、閉止位置で保持部材により保持される場合は、長溝と係合しないものであってもよい。
【０１２１】
加えて、突起部６５及び突起部６６は、一方の外端から他方の外端までの長さが、第一溝部３３の全長と異なる長さであってもよい。また、突起部６３及び突起部６４は、一方の外端から他方の外端までの長さが、第一溝部４３の全長と異なる長さであってもよい。さらに、突起部６４及び突起部６６のＷ方向の長さは、第三溝部３８及び第三溝部４８の長さと異なっていてもよい。
【０１２２】
弾性部材は、パッキン１８のように、固定部１８Ａと周縁部１８Ｂを有するものに限らず、周縁部１８Ｂのみであってもよい。また、弾性部材は、第一突起の外端から第二突起の外端までに対応する領域の外側まで張り出されたものであってもよい。
【０１２３】
接続部材は、ＵＳＢのジャック２８に限らず、イヤホンジャックや他の外部機器との電気的な接続を行うコネクタであってもよい。
【０１２４】
以上、本願の開示する技術の一実施形態について説明したが、本願の開示する技術は、上記に限定されるものでなく、上記以外にも、その主旨を逸脱しない範囲内において種々変形して実施可能であることは勿論である。
【０１２５】
次に、上述の本願の開示する技術の一態様に関し、更に以下の付記を開示する。
【０１２６】
（付記１）
開口部が形成された壁部と、前記開口部を間において前記壁部の側面に沿って並列して延びる第一溝部と、前記開口部から離れた位置で前記側面に沿って並列して延びる第二溝部とが、傾斜溝壁を介して前記第一溝部と前記第二溝部に接続された長溝と、を有する筐体と、
前記長溝内を移動し、前記第一溝部へ移動する動作に応じて、前記開口部を閉止する蓋と、
前記蓋に設けられ、前記蓋が前記開口部を閉止する動作に応じて、前記開口部で前記壁部と前記蓋とに圧縮される弾性部材と、
前記開口部の内側に設けられた電子部品に電気的に接続された接続部材と、
を有する電子機器。
（付記２）
前記長溝は、前記第一溝部及び前記第二溝部よりも溝幅が大きく前記傾斜溝壁が形成された拡幅溝部を有する、
付記１に記載の電子機器。
（付記３）
前記蓋は、前記長溝内を移動する突起を備え、前記突起が前記第一溝部へ移動する動作に応じて、前記開口部を閉止する、
付記１又は付記２に記載の電子機器。
（付記４）
前記突起は、前記長溝内を移動する第一突起と、前記第一突起と離して設けられ前記長溝内を移動する第二突起と、を備える、
付記３に記載の電子機器。
（付記５）
前記第一溝部の全長が、前記第一突起の外端から前記第二突起の外端までの長さ以上である、
付記４に記載の電子機器。
（付記６）
前記第一突起及び前記第二突起は、前記壁部側の面の同一面上にある、
付記４又は付記５に記載の電子機器。
（付記７）
前記第一突起の厚みは、前記第一溝部及び前記第二溝部と係合する大きさであり、
前記第一溝部には、前記拡幅溝部とは反対側の終端に前記第一溝部よりも溝幅が小さい第三溝部が形成され、
前記第二突起の厚みは、前記第三溝部と係合する大きさである、
付記４から付記６のいずれか１つに記載の電子機器。
（付記８）
前記第三溝部の全長は、前記第二突起の長さ以上である、
付記７に記載の電子機器。
（付記９）
前記傾斜溝壁は、前記第一溝部と前記第二溝部との接続部位に形成され、
前記第一溝部と前記第三溝部との接続部位には第一傾斜面が形成され、
前記第一突起及び前記第二突起は板片とされ、前記第一突起及び前記第二突起には、前記傾斜溝壁及び前記第一傾斜面に沿った第二傾斜面が形成される、
付記７又は付記８に記載の電子機器。
（付記１０）
前記弾性部材は、前記第一突起の外端から前記第二突起の外端までに対応する領域の内側に配置される、
付記４から付記９のいずれか１つに記載の電子機器。
（付記１１）
前記第一溝部の前記壁部側の壁面と、前記拡幅溝部の前記壁部側の壁面とは、同一面上にあり、
前記第二溝部の前記壁部側とは反対側の壁面と、前記拡幅溝部の前記壁部側とは反対側の壁面とは、同一面上にある、
付記２から付記１０のいずれか１つに記載の電子機器。
（付記１２）
前記筐体には、前記開口部が開放された開放状態で前記蓋の一部を覆う被覆部が設けられる、
付記１から付記１１のいずれか１つに記載の電子機器。
（付記１３）
前記蓋の長さは、前記開口部が閉止された閉止状態で前記拡幅溝部を覆う長さである、
付記２から付記１２のいずれか１つに記載の電子機器。
（付記１４）
前記蓋には、前記突起の突出方向とは交差する交差方向に突出した突出部が形成され、
前記筐体には、前記壁部と間隔をあけて配置され、前記開口部が閉止される閉止状態で前記突出部と接触する接触部が設けられる、
付記１から付記１３のいずれか１つに記載の電子機器。
（付記１５）
前記弾性部材は、前記蓋に固定される固定部と、前記固定部の周縁で前記固定部よりも前記壁部側へ突出された周縁部とを有する、
付記１から付記１４のいずれか１つに記載の電子機器。
【符号の説明】
【０１２７】
１０  スマートフォン（電子機器の一例）
１４  筐体
１６  蓋部材（蓋の一例）
１８  パッキン（弾性部材の一例）
２４Ｂ  前壁（壁部の一例）
２６  開口部
２８  ジャック（接続部材の一例）
３２  第一長溝（長溝の一例）
３３  第一溝部
３４  拡幅溝部
３４Ａ  傾斜溝壁
３４Ｄ  傾斜溝壁
３６  第二溝部
３８  第三溝部
３８Ａ  傾斜面（第一傾斜面の一例）
４２  第二長溝（長溝の一例）
４３  第一溝部
４４  拡幅溝部
４４Ａ  傾斜溝壁
４４Ｄ  傾斜溝壁
４６  第二溝部
４８  第三溝部
４８Ａ  傾斜面（第一傾斜面の一例）
５７  電子部品
６３  突起部（突起及び第一突起の一例）
６３Ｂ  傾斜面（第二傾斜面の一例）
６３Ｅ  傾斜面（第二傾斜面の一例）
６４  突起部（突起及び第二突起の一例）
６４Ｂ  傾斜面（第二傾斜面の一例）
６４Ｅ  傾斜面（第二傾斜面の一例）
６５  突起部（突起及び第一突起の一例）
６５Ｂ  傾斜面（第二傾斜面の一例）
６５Ｅ  傾斜面（第二傾斜面の一例）
６６  突起部（突起及び第二突起の一例）
６６Ｂ  傾斜面（第二傾斜面の一例）
６６Ｅ  傾斜面（第二傾斜面の一例）
８２  筐体
８４  蓋部材（蓋の一例）
８４Ｂ  突起部（突起の一例）
８４Ｃ  突起部（突起の一例）
８６  長溝部（長溝の一例）
８８  前壁（壁部の一例）
８８Ａ  開口部
９２  パッキン（弾性部材の一例）
９４  第一溝部
９５  第二溝部
９６  拡幅溝部
９６Ａ  傾斜溝壁
９６Ｂ  傾斜溝壁
【図１】
2015119330.tif 000003
【図２】
2015119330.tif 000004
【図３】
2015119330.tif 000005
【図４】
2015119330.tif 000006
【図５】
2015119330.tif 000007
【図６】
2015119330.tif 000008
【図７】
2015119330.tif 000009
【図８】
2015119330.tif 000010
【図９】
2015119330.tif 000011
【図１０】
2015119330.tif 000012
【図１１】
2015119330.tif 000013
【図１２】
2015119330.tif 000014
【図１３】
2015119330.tif 000015
【図１４】
2015119330.tif 000016
【図１５】
2015119330.tif 000017
【図１６】
2015119330.tif 000018
【図１７】
2015119330.tif 000019
【図１８】
2015119330.tif 000020
【図１９】
2015119330.tif 000021
【図２０】
2015119330.tif 000022
【図２１】
2015119330.tif 000023
【図２２】
2015119330.tif 000024
【図２３】
2015119330.tif 000025
【図２４】
2015119330.tif 000026
【図２５】
2015119330.tif 000027
【図２６】
2015119330.tif 000028
【図２７】
2015119330.tif 000029